(57)【要約】【課題】組み立て分解の工数を４回から２回に削減することで作業の手間と時間を減らすと共に、錠止めピンをケーシング正面から装着した際に、ケーシングに対し、錠本体部とサムターン部とがガタ付くことなく固定できるようにする。【解決手段】ドア先端側に埋設固定するケーシング１と、該ケーシング１に対し着脱可能となるように装着する錠本体部２およびサムターン部３と、錠本体部２およびサムターン部３をケーシング１に固定する錠止めピン４とを備える。前記錠止めピン４は、錠本体部２、サムターン部３それぞれの両端に有する一対のピン孔５Ａにケーシング１を介して一体となって挿通されるようコ字形状に形成する。また、錠止めピン４は、平板棒状の中央基部４Ａと、該中央基部４Ａの両側から折曲突設した丸棒状のアーム部４Ｂとによって形成し、中央基部４Ａに対して両アーム部４Ｂ先端側が互いに若干窄まるように形成する。【選択図】図５
0003119806.tif 000002
【実用新案登録請求の範囲】
【請求項１】
ドア先端側に埋設固定するケーシングと、該ケーシングに対し着脱可能となるように装着される錠本体部およびサムターン部と、錠本体部およびサムターン部をケーシングに固定させる錠止めピンとを備えた錠取付構造であって、前記錠止めピンは、錠本体部、サムターン部それぞれの両端に有する一対のピン孔にケーシングを介して一体となって挿通されるようコ字形状に形成されていることを特徴とする錠取付構造。
【請求項２】
前記錠止めピンは、平板棒状の中央基部と、該中央基部の両側から折曲突設された丸棒状のアーム部とによって形成され、中央基部に対して両アーム部先端側が互いに内側に向けて窄まるような形状を呈して成る請求項１記載の錠取付構造。
【請求項３】
ケーシングの正面には、錠止めピンの中央基部の厚幅と略同じ深さの溝部が形成され、両アーム部が挿入されて中央基部が該溝部内に配置された状態で蓋板がケーシングの上側から被さるようにしてある請求項１または２記載の錠取付構造。
【考案の詳細な説明】
【技術分野】
【０００１】
本考案は、ドア先端側に埋設固定したケーシングに対し錠を取り付けるための錠取付構造に関する。
【背景技術】
【０００２】
従来、ドア先端側に埋設固定したケーシングに対し錠を取り付ける場合には、ドアの外側と内側に対応するケーシングの左右両側に、部屋の外側からキーを用いて施解錠を行なうための例えばシリンダー錠等の錠本体部を挿入する錠本体部装着用孔部と、部屋の内側からこの錠本体部に連動連結したサムターンを回動操作して錠本体部を施解錠するためのサムターン部を挿入するサムターン部装着用孔部とをそれぞれ連通するようにして開設する。
【０００３】
これら錠本体部とサムターン部とのそれぞれ先端側周囲における１８０度対向位置には、錠本体部のシリンダー回転軸、サムターン部のサムターン回転軸それぞれと直交する方向で、しかも両回転軸に干渉しないようにして錠止めピンを挿入するためのピン孔が穿設された凸部が周面に沿って形成されている。
【０００４】
そして、合計４本の錠止めピンを用意し、前記凸部のピン孔に対応してケーシング正面に穿設された４個のピン取付孔部から錠止めピンの１本１本（合計４本）を貫挿させ、ケーシングの両装着用孔部にそれぞれ挿入されている錠本体部とサムターン部とのピン孔に差し込んでいた。
【特許文献１】特になし
【考案の開示】
【考案が解決しようとする課題】
【０００５】
しかしながら、従来においては、合計４本の錠止めピンを使用するため、組み立ては勿論、分解の際も工数が４回と多く、作業に手間と時間が掛かる。しかも、これら４本の錠止めピンの１本１本（合計４本）を互いに独立した状態で個々にケーシング正面から装着されているため、ケーシングに対する錠本体部とサムターン部との各錠止めピンによる締着力が非常に弱いものとなり、これによってケーシングに対し、錠本体部とサムターン部とが互いにガタ付いてしまうという問題点を有していた。
【０００６】
そこで、本考案は、叙上のような従来存した諸事情に鑑み案出されたもので、組み立て分解の工数を４回から２回に削減することで作業の手間と時間を減らすことができ、また、錠止めピンをケーシング正面から装着した際において、ケーシングに対する錠本体部とサムターン部との締着力を働かせることを可能にすることでケーシングへの錠本体部とサムターン部との固定がガタ付くことなくしっかりとしたものとすることができる錠取付構造を提供することを目的とする。
【課題を解決するための手段】
【０００７】
上述した課題を解決するため、本考案にあっては、ドア先端側に埋設固定するケーシングと、該ケーシングに対し着脱可能となるように装着される錠本体部およびサムターン部と、錠本体部およびサムターン部をケーシングに固定させる錠止めピンとを備えた錠取付構造であって、前記錠止めピンは、錠本体部、サムターン部それぞれの両端に有する一対のピン孔にケーシングを介して一体となって挿通されるようコ字形状に形成されていることを特徴とする。
【０００８】
前記錠止めピンは、平板棒状の中央基部と、該中央基部の両側から折曲突設された丸棒状のアーム部とによって形成され、中央基部に対して両アーム部先端側が互いに内側に向けて窄まるような形状を呈して成るものとすることができる。
【０００９】
ケーシングの正面には、錠止めピンの中央基部の厚幅と略同じ深さの溝部が形成され、両アーム部が挿入されて中央基部が該溝部内に配置された状態で蓋板がケーシングの上側から被さるようにしてあるものとすることができる。
【考案の効果】
【００１０】
本考案によれば、組み立て分解の工数を４回から２回に削減することで作業の手間と時間を減らすことができ、また、錠止めピンをケーシング正面から装着した際において、ケーシングに対する錠本体部とサムターン部との締着力を働かせることが可能となり、これにより、ケーシングへの錠本体部とサムターン部との固定状態がガタ付くことなくしっかりとしたものとなる。
【００１１】
また、錠止めピンは、中央基部に対して両アーム部が互いに内側に向けて若干窄まったような形状を呈しているため、両装着用孔部に挿入させる際には、両アーム部を若干拡開させた状態にしてから押し込まれるようにすることで、ケーシングに対する錠本体部とサムターン部との締着力を、錠止めピンの窄まり方向へバネ付勢されている両アーム部によって効率良く働かせることができる。
【００１２】
さらに、ケーシングの正面には、錠止めピンの中央基部の厚幅と略同じ深さの溝部が形成され、両アーム部が挿入されて中央基部が該溝部内に配置された状態で蓋板がケーシングの上側から被さるようにしてあるので、錠止めピン装着後、ケーシングの正面に蓋板を被せてネジによって固定することで、錠止めピン自体をケーシングから離脱不能な状態にしておくことができる。
【考案を実施するための最良の形態】
【００１３】
以下、図面を参照して本考案を実施するための最良の一形態を説明する。図において示される符号１は、ドアＰ先端側に凹設形成した錠取付箇所に埋設固定するための矩形板状のケーシングであり、該ケーシング１には、錠本体部２、サムターン部３、コ字形状を呈する一対の錠止めピン４それぞれが着脱可能となることで本考案に係る錠取付構造の各ユニット部材を構成している。
【００１４】
ケーシング１のドア外側に対応する左側面には、図５に示すように、部屋の外側からキーＫを用いてラッチＬを進出退避方向に駆動させることで施解錠を行なうための例えばシリンダー錠等の錠本体部２を挿入する錠本体部装着用孔部１Ａが開設されている。
【００１５】
また、ケーシング１のドア内側に対応する右側面には、部屋の内側からこの錠本体部２に連動連結したサムターンを回動操作して錠本体部２を施解錠するためのサムターン部３を挿入するサムターン部装着用孔部１Ｂが開設されている。
【００１６】
これら両装着用孔部１Ａ、１Ｂは、ケーシング１内部に設けた係合孔部１Ｃを介して互いに連通されており、両装着用孔部１Ａ、１Ｂに挿入された錠本体部２のシリンダー回転軸、サムターン部３のサムターン回転軸それぞれが係合孔部１Ｃを介して互いに連動連結されると同時に錠本体部２、サムターン部３のいずれかの操作によってラッチＬを進出退避方向に駆動させることができるようにしてある。
【００１７】
また、錠本体部２、サムターン部３それぞれには、錠本体部２のシリンダー回転軸、サムターン部３のサムターン回転軸それぞれと直交する方向で、しかも両回転軸に干渉しないようにして錠止めピン４を挿入するためのピン孔５Ａが穿設された凸部５が周面に沿って形成されている。
【００１８】
すなわち、図２および図３に示すように、錠本体部２とサムターン部３とのそれぞれ先端側周囲における１８０度対向位置である例えば周面上側と周面下側には、当該周面に沿って円弧状の凸部５が形成されており、該凸部５には、錠本体部２のシリンダー回転軸、サムターン部３のサムターン回転軸それぞれと互いに直交する方向に沿って錠止めピン４を挿入するためのピン孔５Ａが穿設されている。この凸部５に対応して、前記両装着用孔部１Ａ、１Ｂの開孔形状も円形開口縁部の上下対称位置に凹部６が形成されている。
【００１９】
また、図３乃至図５に示すように、ケーシング１の正面には、両装着用孔部１Ａ、１Ｂに挿入された錠本体部２、サムターン部３それぞれの凸部５に形成された前記ピン孔５Ａに対応して左右対称で上下一対となった合計４個のピン取付孔部７が穿設されている。
【００２０】
そして、図４または図５に示すように、これら合計４個のピン取付孔部７のうち左側にある上下一対のピン取付孔部７から、平板棒状の中央基部４Ａの両側から丸棒状のアーム部４Ｂがそれぞれほぼ直角に折曲されて全体が略コ字形状となって形成されて成る錠止めピン４の当該両アーム部４Ｂを貫挿させ、ケーシング１の左側の錠本体部装着用孔部１Ａに挿入されている錠本体部２の凸部５におけるピン孔５Ａにそれぞれ差し込まれるようにしてある。
【００２１】
同様にして、合計４個のピン取付孔部７のうち右側にある上下一対のピン取付孔部７から、上記と同様に全体が略コ字形状となって形成されて成る錠止めピン４の両アーム部４Ｂを貫挿させて、ケーシング１の右側のサムターン部装着用孔部１Ｂに挿入されているサムターン部３の凸部５におけるピン孔５Ａにそれぞれ差し込まれるようにしてある。
【００２２】
この錠止めピン４は、中央基部４Ａに対して両アーム部４Ｂ先端側が互いに内側に向けて若干窄まったような形状を呈しており、両装着用孔部１Ａ、１Ｂに挿入させる際には、両アーム部４Ｂを若干拡開させた状態を維持しながら押し込まれるようにしてある。これによって、ケーシング１に対する錠本体部２とサムターン部３との締着力を、錠止めピン４の窄まり方向へバネ付勢されている両アーム部４Ｂによって効率良く働かせるようにしている。
【００２３】
また、ケーシング１の正面には、錠止めピン４の中央基部４Ａを上側から押え付けるためのラッチ用開口部を備えた蓋板８が、ネジ８Ａによって着脱可能となるように取り付けられるものとしてある。すなわち、ケーシング１の正面には、合計４個のピン取付孔部７に跨って略Ｈ形状となるように、錠止めピン４の中央基部４Ａの厚幅と略同じ深さの溝部９が形成され、該溝部９内に中央基部４Ａが配置された状態で蓋板８が上側から被さるようにしてある。
【００２４】
次に、以上のように構成された最良の形態についての使用、組立、動作の一例について説明する。
先ず、ドア先端側に凹設形成した錠取付箇所にケーシング１を埋設しネジ止め等によって固定しておく。このケーシング１のドア外側に対応する左側面にある錠本体部装着用孔部１Ａに錠本体部２を挿入する。そして、ケーシング１正面の左右対称で上下一対となった合計４個のピン取付孔部７のうち左側にある上下一対のピン取付孔部７からコ字形状の錠止めピン４の両アーム部４Ｂを貫挿させて、ケーシング１の左側の錠本体部装着用孔部１Ａに挿入されている錠本体部２の凸部５におけるピン孔５Ａに両アーム部４Ｂをそれぞれ差し込む。
【００２５】
同様にして、ケーシング１のドア内側に対応する右側面にあるサムターン部装着用孔部１Ｂにサムターン部３を挿入する。このときケーシング１内部の係合孔部１Ｃを介して錠本体部２のシリンダー回転軸、サムターン部３のサムターン回転軸それぞれが互いに連動連結される。そして、ケーシング１正面の左右対称で上下一対となった合計４個のピン取付孔部７のうち右側にある上下一対のピン取付孔部７からコ字形状の錠止めピン４の両アーム部４Ｂを貫挿させて、ケーシング１の右側のサムターン部装着用孔部１Ｂに挿入されているサムターン部３の凸部５におけるピン孔５Ａに両アーム部４Ｂをそれぞれ差し込む。
【００２６】
最後に錠止めピン４の中央基部４Ａを塞ぐようにケーシング１の正面に蓋板８を被せてネジ８Ａによって固定することで、錠止めピン４を離脱不能な状態にしておくものである。
【図面の簡単な説明】
【００２７】
【図１】本考案を実施するための最良の形態を示す正面図である。
【図２】同じくケーシングに装着される錠取付構造の各ユニット部材を示すもので、（ａ）は錠本体部の背面図、（ｂ）は錠本体部の側面図、（ｃ）はサムターン部の背面図、（ｄ）はサムターン部の側面図、（ｅ）は錠止めピンの背面図、（ｆ）は錠止めピンの側面図である。
【図３】同じくケーシングにサムターン部を取り付ける状態を示す分解正面図である。
【図４】同じくケーシングに錠止めピンと蓋板を取り付ける状態を示す分解側面図である。
【図５】同じくケーシングに錠本体部、サムターン部、錠止めピンそれぞれを取り付ける状態を示す分解斜視図である。
【符号の説明】
【００２８】
Ｐ    ドア
Ｋ    キー
Ｌ    ラッチ
１    ケーシング
１Ａ  錠本体部装着用孔部
１Ｂ  サムターン部装着用孔部
１Ｃ  係合孔部
２    錠本体部
３    サムターン部
４    錠止めピン
４Ａ  中央基部
４Ｂ  アーム部
５    凸部
５Ａ  ピン孔
６    凹部
７    ピン取付孔部
８    蓋板
８Ａ  ネジ
９    溝部
【図１】
0003119806.tif 000003
【図２】
0003119806.tif 000004
【図３】
0003119806.tif 000005
【図４】
0003119806.tif 000006
【図５】
0003119806.tif 000007